(57)【要約】      （修正有）【課題】ベッドメークにおける掛け毛布のマットへの固定具に関して、特に、足元部分の掛け毛布がマットから外れにくく、簡便な構造で取り扱いも容易でコスト的にも安価な掛け毛布のマットへの固定具を提供する。【解決手段】掛け毛布４をマット５に固定する固定具１を、掛け毛布４で覆ったマット５の上下部に位置する上辺部分と下辺部分と、及びそれらをつないで、該マット５を側部から挟み込むような適宜の高さ部分を有するコ字型部分２を構成し、そして、コ字型部分２の上辺部分の先端に、第１リングを介してマット５に止めるためのピン３を設け、コ字型部分２を該マット５に挟み込みやすいように、コ字型部分２の一部のコーナー部分を回動可能な第２リングに形成している。【選択図】図１
0003131779.tif 000002
【実用新案登録請求の範囲】
【請求項１】
掛け毛布４をマット５に固定する固定具１において、
該固定具１は、コ字型部分２とピン３とから構成され、
該コ字型部分は、掛け毛布４で覆ったマット５上部に位置する上辺部分２ａと、該マット５下部に位置する下辺部分２ｂと、及びそれらをつないで、該マット５を側部から挟み込むような適宜の高さ部分２ｃを有するように形成されており、
ピン３は、コ字型部分２の上辺部分２ａの先端に、第１リング２ｄを介してマット５に止めるために設けられ、
コ字型部分２を該マット５に挟み込みやすいように、コ字型部分２の一部のコーナー部分を回動可能な第２リング２ｅに形成したことを特徴とする掛け毛布４のマット５への固定具。
【考案の詳細な説明】
【考案の詳細な説明】
【技術分野】
【０００１】  本考案は、ベッドメークに際して、足の部分における掛け毛布４のマット５への固定具１に関するものである。
【背景技術】
【０００２】  従来、ベッドメークに関して、ベッドシーツのマットへの固定具は、ヒモ、バンド、折り込み、差し込みなどで固定するなど様々な工夫が施されてきた。しかし、掛け毛布のマットへの固定具は殆ど存在しなかったし、掛け毛布がマットから外れるのを防止する対策としては、精々が、経験的に、掛け毛布の端部をヒモ、バンド、折り込み、差し込みなどで固定するなどの工夫が施されてきたに過ぎなかった。
【考案が解決しようとする課題】
【０００３】  しかしながら、上記の従来の、ベッドシーツのマットへの固定具は、それなりに効果的であるものだが、構造が複雑であるとか、取り扱いが面倒であるとか、製品もコスト高であるなどの問題点があった。それ故に、そのまま掛け毛布の固定に転用することには限界があった。それに、掛け毛布も、ベッドシーツと同様にマットから外れやすいという問題があったが、掛け毛布のマットへの固定具は、殆ど想到することもなく、製品化も成されていないのが実情である。
【０００４】  本考案は、上記課題を解決するためになされたものであり、ベッドメークにおける掛け毛布４のマット５への固定具１に関して、特に、足元部分の掛け毛布４がマット５から外れにくく、簡便な構造で取り扱いも容易でコスト的にも安価な掛け毛布４のマット５への固定具１を提供することを目的とする。
【課題を解決するための手段】
【０００５】  上記の課題を解決するために、本考案の掛け毛布４のマット５への固定具１は、コ字型部分２とピン３とから構成され、該コ字型部分２は、掛け毛布４で覆ったマット５の上下部に位置する上辺部分２ａと下辺部分２ｂと、及びそれらをつないで、該マット５を側部から挟み込むような適宜の高さ部分２ｃを有するように形成されており、ピン３は、コ字型部分２の上辺部分２ａの先端に、第１リング２ｄを介してマット５に止めるために設けられ、コ字型部分２を該マット５に挟み込みやすいように、コ字型部分２の一部のコーナー部分を回動可能な第２リング２ｅに形成している。
【考案を実施するための最良の形態】
【０００６】  以下、本考案の一実施の形態を図面を参照して説明する。まず、図１乃至図３を参照して、本考案の一実施の形態である固定具１の構造を説明する。図１は、固定具１の斜視図であり、図２は、固定具１を掛け毛布４の上からマット５への取付を示すもので、足元から頭方向に見た正面図である。図３は、同様に、固定具１を掛け毛布４の上からマット５への取付を示すもので、マット５上面から見たものである。【０００７】  図１に示すように、固定具１は、掛け毛布４で覆ったマット５の上下に位置する上辺部分２ａと下辺部分２ｂをつないで該マット５を側部から挟み込むような適宜の高さ部分２ｃを有するコ字型部分２と、該コ字型部分２の先端に第１リング２ｄを介して該マット５に止めるためのピン３とから構成されている。【０００８】  図１に示すように、固定具１のコ字型部分２は掛け毛布４で覆ったマット５を側部から挟み込むような適宜の高さ部分２ｃを有して形成されており、コ字型部分２の先端には第１リンク２ｄを介してマット５に止めるピン３が設けられている。【０００９】  また、固定具１のコ字型部分２は、コ字型部分２を掛け毛布４で覆ったマット５に挟み込みやすいように、コ字型部分２の一部のコーナー部分を回動可能な第２リング２ｅに形成している。【００１０】  本固定具１の大きさであるが、コ字型部分２の上辺部分２ａの寸法は、長さが約１０ｃｍ程度であり、下辺部分２ｂの寸法は、それとほぼ同様であるが、固定を確実にならしめるために、少し長めに設定することも可能である。また、高さ部分２ｃは、掛け毛布とマットの両方を挟むものであるから、両方の厚さをほぼ合計した寸法である。【００１１】  次に、図２及び図３を参照して、固定具１の使用状態を説明する。図２は、掛け毛布４で覆ったマット５への固定具１の使用において、足元から頭方向に向かってみた状態を示す正面図である。図３は、該固定具の使用において、マット上面から見たものである。【００１２】  本考案の固定具１の使用に際しては、まず、図２に示すように、固定具１は、コ字型部分２をマット５の側部に配置して、掛け毛布４をマット５にピン３で固定する。この際に、掛け毛布の外れを防止するものであるので、固定する部分は、足元に相当する部分で、マットの側部の２カ所で充分である。それ以上固定する必要もなく、無理に固定すれば、足を挿入するのに不便となるものである。【００１３】  具体的な方法としては、固定具１のコ字型部分２の上辺部分２ａを、掛け毛布４の上からマット５上部に位置させ、コ字型部分２の高さ部分２ｃをマット５の側部に当てながら、即ち、下辺部分２ｂを除くコ字型部分２をマット５の上辺と側部に押し当てながら、掛け毛布４の上からマット５に下向きにピン３を刺して固定する。その後に、コ字型部分２の下辺部分２ｂをマット５下部に挿入して、コ字型部分２を該マット５の外側から挟むようにして固定する。【００１４】  なお、コ字型部分２の下辺部分２ｂをマット５下部に挿入して、掛け毛布４の端部のマット５への固定を確実且つ容易となろように、コ字型部分２の下辺部分２ｂと高さ部分２ｃとの間に、回動自在に第２リング２ｅを設けている。そうすることで、ピン３を掛け毛布４及びマット５に刺して固定した後に、コ字型部分２の下辺部分２ｂをマット５下部に容易に挿入して、コ字型部分２を掛け毛布４を介してマット５の外側から挟んで固定することができる。【００１５】  ところで、該固定具１の使用に際しては、人が寝た場合の充分な空間を確保するために、掛け毛布４を中央に寄せて弛ませて固定することが必須である。すなわち、掛け毛布４をマット５に固定してから、その掛け毛布４とマット５との間の空間に足を入れて就寝することになるからである。余り空間が狭いと足の挿入に不便を生じるからである。【００１６】  また、固定具１は、特別の器具や装置の補助部材を用いる必要もなく、コ字型の固定具１により、確実且つ容易に、掛け毛布４をマット５に固定することができ、またコ字型部分２の上辺部分２ａは、１０ｃｍ程度の長さであり、極めて小型で簡易な構造により、費用的にも安価で有利である。【００１７】  さらに、足元部分でマット５上面に固定具１が掛かるのは、１０ｃｍ程度であるから、就寝中に掛け毛布４を足でずらして固定具が外れたり、足の移動に不自由を生じさせることもない。また、掛け毛布の弛みを十分に確保しておけば、掛け毛布４の移動からくるピン３の外れやピン穴の破損もなく、そして、ピンも下に向いて露出することもなく身体にも安全である。【００１８】  そして、掛け毛布４がマット５から外れにくいというのは、何も就寝中の効果のみならず、起床の際においても、掛け毛布４をマット５から外すことなく、足元に畳んで起床できるというものである。更に、就寝する際においても、掛け毛布４の位置を直すことなく、そのまま掛け毛布４を頭の方に引っ張って就寝することができるというものである。換言すれば、掛け毛布を取り外すことなく、起床、就寝ができるというもので、特に冬場は、万年床のように極めて簡便なライフスタイルを実現できるのである。【００１９】  なお、本考案は、各種の変形が可能なことは言うまでもない。例えば、マット５の高さに対する調整のために、弾力性に富んだバネや伸縮自在な長さ調整機構などを取り入れることも可能であり、そして、直線上に限らず、コ字型部分２の高さ部分２ｃをマット５側部の形状に合わせて弾力的な円弧状にしても良い。
【考案の効果】
【００２０】  以上説明したように、本考案の固定具１では、構造が簡単で取り扱いも容易でコスト的にも安価であり、掛け毛布４のマット５への固定が確実且つ容易であり、また、掛け毛布４がマット５から外れにくく、換言すれば、そのまま掛け毛布４マット５から外すことなく起床や就寝が可能になる固定具１を提供できるという効果を奏する。
【図面の簡単な説明】
【００２１】
【図１】  図１は、固定具１の斜視図である。
【図２】  図２は、固定具１による掛け毛布４のマット５への取付を示すもので、足元から頭方向に見た正面図である。
【図３】  図３は、同様に固定具１による掛け毛布４のマット５への取付を示すもので、マット５上面から見たものである。
【符号の説明】
【００２２】１    固定具
２    コ字型部分
２ａ  上辺部分
２ｂ  下辺部分
２ｃ  高さ部分
２ｄ  リング部分
２ｅ  リング部分
３    ピン
４    掛け毛布
５    マット
【図１】
0003131779.tif 000003
【図２】
0003131779.tif 000004
【図３】
0003131779.tif 000005